(57)【要約】【課題】本発明は、スーパーキャパシタモジュールを提供する。【解決手段】複数のスーパーキャパシタ１３０と、該複数のスーパーキャパシタ１３０の収容のための収容部１２０を備え、各スーパーキャパシタ１３０の側面から放出される熱を放熱する水冷ジャケット１１０と、該水冷ジャケット１１０に供給する冷却水を外部から流入する流入部１４０と、該水冷ジャケット１１０から排出される冷却水を外部に放出する流出部１５０とを含む。【選択図】図１
2012049536.tif 000002
【特許請求の範囲】
【請求項１】
複数のスーパーキャパシタと、
前記複数のスーパーキャパシタの収容のための収容部を備え、前記複数のスーパーキャパシタの側面から放出される熱を放熱する水冷ジャケットと、
前記水冷ジャケットに供給する冷却水を外部から流入する流入部と、
前記水冷ジャケットから排出される前記冷却水を外部に放出する流出部と、
を含むスーパーキャパシタモジュール。
【請求項２】
前記収容部は、前記スーパーキャパシタに対応する形状の溝またはホールで設けられる請求項１に記載のスーパーキャパシタモジュール。
【請求項３】
前記水冷ジャケットは、内部に前記冷却水の流れのための水路を備え、前記各スーパーキャパシタの四方に配設されて前記スーパーキャパシタを支持する水冷ブロックを含む請求項１に記載のスーパーキャパシタモジュール。
【請求項４】
前記収容部は、前記水冷ブロックの結合により形成される請求項３に記載のスーパーキャパシタモジュール。
【請求項５】
前記水冷ジャケットは、前記複数の水冷ブロックの下部に配設されて前記複数の水冷ブロックを互いに連結し、前記複数の水冷ブロックへ前記冷却水を供給する水冷連結部をさらに含む請求項３に記載のスーパーキャパシタモジュール。
【請求項６】
前記水冷連結部は、前記複数のスーパーキャパシタ及び前記複数の水冷ブロックの下部に配設される基板の形態から成る請求項５に記載のーパーキャパシタモジュール。
【請求項７】
前記水冷連結部は、内部に前記流入部、前記水冷ブロックの水路及び前記流出部を互いに連結する連結水路を備える請求項６に記載のスーパーキャパシタモジュール。
【請求項８】
前記水冷ブロックは、
前記複数のスーパーキャパシタのうち一列で配設されるスーパーキャパシタの一部を収容する第１の水冷ブロックと、
前記第１の水冷ブロックに連結され、前記一列で配設されるスーパーキャパシタの残りを収容する第２の水冷ブロックと、を含む請求項３に記載のスーパーキャパシタモジュール。
【請求項９】
前記複数のスーパーキャパシタの上面及び下面のうちのいずれか一つの面上に配設され、冷却媒体の流れのための冷却流路を備える放熱プレートをさらに含む請求項１に記載のスーパーキャパシタモジュール。
【請求項１０】
複数のスーパーキャパシタと、
前記複数のスーパーキャパシタの収容のための収容部を備える水冷ジャケットと、
前記水冷ジャケットに供給する冷却水を外部から流入する流入部と、
前記水冷ジャケットから排出される前記冷却水を外部に放出する流出部と、
を含み、
前記水冷ジャケットは、前記各スーパーキャパシタの側面から放出される熱を放熱するために垂直方向に冷却水を移動させる複数の水冷ブロックを備えるスーパーキャパシタモジュール。
【請求項１１】
前記収容部は、前記各スーパーキャパシタの四方に配設される水冷ブロックの結合により設けられる請求項１０に記載のスーパーキャパシタモジュール。
【請求項１２】
前記水冷ジャケットは、前記複数の水冷ブロックの下部に配設されて前記複数の水冷ブロックを互いに連結し、前記複数の水冷ブロックへ前記冷却水を供給する水冷連結部をさらに含む請求項１１に記載のスーパーキャパシタモジュール。
【請求項１３】
前記水冷連結部は、前記各スーパーキャパシタを支持するために基板の形態を有し、前記水冷連結部は、前記各スーパーキャパシタの下部に連結されて前記スーパーキャパシタの下部から放出される熱を逃がす請求項１２に記載のスーパーキャパシタモジュール。
【請求項１４】
複数のスーパーキャパシタと、
前記複数のスーパーキャパシタの収容のための収容部を備える水冷ジャケットと、
前記水冷ジャケットに供給する冷却水を流入する流入部と、
前記水冷ジャケットから排出される前記冷却水を外部に放出する流出部と、
を含み、
前記水冷ジャケットは、前記各スーパーキャパシタの側面から放出される熱を放熱するために垂直方向及び水平方向に冷却水を移動する水冷ブロックを備えるスーパーキャパシタモジュール。
【請求項１５】
前記水冷ブロックは、
前記複数のスーパーキャパシタのうち一列で配設されるスーパーキャパシタの一部を収容する第１の水冷ブロックと、
前記第１の水冷ブロックに連結され、前記一列で配設されるスーパーキャパシタの残りを収容する第２の水冷ブロックと、
を含む請求項１４に記載のスーパーキャパシタモジュール。
【請求項１６】
前記第１及び第２の水冷ブロックを互いに連結し、前記第１及び第２の水冷ブロックに冷却水を供給する水冷連結部をさらに含む請求項１５に記載のスーパーキャパシタモジュール。
【請求項１７】
前記収容部は、前記水冷ブロックの本体に設けられる溝またはホールの形態を有し、該水冷ブロックの本体は、内部に冷却水の流れのための水路を備える請求項１４に記載のスーパーキャパシタモジュール。
【発明の詳細な説明】
【技術分野】
【０００１】
本発明は、スーパーキャパシタモジュールに関し、水冷ジャケットを備えるスーパーキャパシタモジュールに関する。
【背景技術】
【０００２】
スーパーキャパシタは電気自動車、ハイブリッド電気自動車、燃料電池自動車、重装備及び携帯用電子装置等に適用可能な新材生エネルギー分野の高品質エネルギー源として脚光を浴びている。
【０００３】
スーパーキャパシタは、電気二重層原理を用いる電気二重層キャパシタ（Ｅｌｅｃｔｒｉｃａｌ  ｄｏｕｂｌｅ  ｌａｙｅｒ）と電気化学的酸化−還元反応を用いるハイブリッドスーパーキャパシタ（Ｈｙｂｒｉｄ  ｓｕｐｅｒ  ｃａｐａｃｉｔｏｒ）とに大別される。該スーパーキャパシタは、高出力エネルギー特性を必要とする分野において多用されているが、２次電池に比べて小さい容量を有している。ハイブリッドスーパーキャパシタは、電気二重層キャパシタの容量特性を改善する新たな対案として多くの研究がなされている。特に、ハイブリッドスーパーキャパシタのうちリチウムイオンキャパシタ（Ｌｉｔｈｉｕｍ  ｉｏｎ  ｃａｐａｃｉｔｏｒ：ＬＩＣ）は電気二重層キャパシタに比べて３〜４倍程の蓄積容量を有している。
【０００４】
このようなスーパーキャパシタは、交互に積層された陽極及び陰極と、積層された陽極及び陰極間に設けられ、それらを電気的に分離するセパレータとを備える。
一方、スーパーキャパシタは高出力特性または低エネルギー保存特性を有することによって、自動車や重装備において幾つかのスーパーキャパシタを直列または並列に連結するモジュールの形態で用いられている。
【先行技術文献】
【特許文献】
【０００５】
【特許文献１】特開２００３−１９７２７７
【特許文献２】特開２００５−３４９９５５
【発明の概要】
【発明が解決しようとする課題】
【０００６】
スーパーキャパシタモジュールは、複数のスーパーキャパシタの駆動によってエネルギー保存特性を向上することができるが、該スーパーキャパシタモジュールの駆動時に発生する熱も共に急増してスーパーキャパシタモジュールの信頼性や安定性が低下することになる。そのため、スーパーキャパシタモジュールに設けられるべきスーパーキャパシタの個数や使用環境に制限があるという不都合がある。
【０００７】
そのため、スーパーキャパシタモジュールは、複数のスーパーキャパシタの駆動時に発生した熱を効率よく放熱するための技術が必要となる。
【０００８】
本発明は上記の問題点に鑑みて成されたものであって、水冷ジャケットを備えて各々のスーパーキャパシタから発生する熱を放熱できるスーパーキャパシタモジュールを提供するにその目的がある。
【課題を解決するための手段】
【０００９】
上記目的を解決するために、本実施形態によるスーパーキャパシタモジュールは、複数のスーパーキャパシタと、前記複数のスーパーキャパシタの収容のための収容部とを備え、前記各スーパーキャパシタの側面から放出される熱を放熱する水冷ジャケットと、前記水冷ジャケットに供給する冷却水を外部から流入する流入部と、前記水冷ジャケットから排出される前記冷却水を外部に放出する流出部とを含むことができる。
【００１０】
前記収容部は、前記スーパーキャパシタに対応する形状の溝またはホールで形成されることができる。
【００１１】
また、前記水冷ジャケットは、内部に前記冷却水の流れのための水路を備え、前記各スーパーキャパシタの四方に配設されて前記スーパーキャパシタを支持する複数の水冷ブロックを含むことができる。
【００１２】
また、前記収容部は、前記複数の水冷ブロックの結合により形成されることができる。
【００１３】
また、前記水冷ジャケットは、前記複数の水冷ブロックの下部に配設されて前記複数の水冷ブロックを互いに連結し、前記複数の水冷ブロックへ前記冷却水を供給する水冷連結部をさらに含むことができる。
【００１４】
また、前記水冷連結部は、前記複数のスーパーキャパシタ及び前記複数の水冷ブロックの下部に配設される基板で構成されることができる。
【００１５】
また、前記水冷連結部は、内部に前記流入部、前記水冷ブロックの水路及び前記流出部を互いに連結する連結水路を備えることができる。
【００１６】
また、前記水冷ブロックは、前記複数のスーパーキャパシタのうち一列で配設されるスーパーキャパシタの一部を収容する第１の水冷ブロックと、前記第１の水冷ブロックに連結され、前記一列で配設されるスーパーキャパシタの残りを収容する第２の水冷ブロックとを含むことができる。
【００１７】
また、前記複数のスーパーキャパシタの上面及び下面のうちのいずれか一つの面上に配設され、冷却媒体の流れのための冷却流路を備える放熱プレートをさらに含むことができる。
【００１８】
上記目的を解決するために、本実施形態によるスーパーキャパシタモジュールは、複数のスーパーキャパシタと、前記複数のスーパーキャパシタの収容のための収容部を備える水冷ジャケットと、前記水冷ジャケットに供給する冷却水を外部から流入する流入部と、前記水冷ジャケットから排出される前記冷却水を外部に放出する流出部とを含むことができる。
【００１９】
前記水冷ジャケットは、前記各スーパーキャパシタの側面から放出される熱を放熱するために垂直方向に冷却水を移動させる複数の水冷ブロックを備えることができる。
【００２０】
前記収容部は、前記各スーパーキャパシタの四方に配設される水冷ブロックの結合により形成されることができる。
【００２１】
また、前記水冷ジャケットは前記複数の水冷ブロックの下部に配設されて前記複数の水冷ブロックを互いに連結し、前記複数の水冷ブロックへ前記冷却水を供給する水冷連結部をさらに含むことができる。
【００２２】
また、前記水冷連結部は、前記各スーパーキャパシタを支持するために基板の形態を有し、前記水冷連結部は、前記各スーパーキャパシタの下部に連結されて前記スーパーキャパシタの下部から放出される熱を放熱することができる。
【００２３】
また、上記目的を解決するために、本実施形態によるスーパーキャパシタモジュールは、複数のスーパーキャパシタと、前記複数のスーパーキャパシタの収容のための収容部を備える水冷ジャケットと、前記水冷ジャケットに供給する冷却水を流入する流入部と、前記水冷ジャケットから排出される前記冷却水を外部に放出する流出部とを含むことができる。
【００２４】
前記水冷ジャケットは、前記各スーパーキャパシタの側面から放出される熱を放熱するために垂直方向及び水平方向に冷却水を移動する水冷ブロックを備えることができる。
【００２５】
ここで、前記水冷ブロックは、前記複数のスーパーキャパシタのうち一列で配設されるスーパーキャパシタの一部を収容する第１の水冷ブロックと、前記第１の水冷ブロックに連結され、前記一列で配設されるスーパーキャパシタの残りを収容する第２の水冷ブロックとを含むことができる。
【００２６】
また、前記第１及び第２の水冷ブロックを互いに連結し、前記第１及び第２の水冷ブロックに冷却水を供給する水冷連結部をさらに含むことができる。
【００２７】
また、前記収容部は、前記水冷ブロックの本体に設けられる溝またはホールの形態を有し、該水冷ブロックの本体は、内部に冷却水の流れのための水路を備えることができる。
【発明の効果】
【００２８】
本実施形態によれば、各スーパーキャパシタ間に水冷ジャケットを設けて、各スーパーキャパシタの側面から発生する熱を効果よく除去できる。
【００２９】
また、本実施形態のスーパーキャパシタモジュールに設けられる水冷ジャケットによれば、スーパーキャパシタの垂直方向だけでなく左右方向にも冷却水流れを備え、スーパーキャパシタの熱をさらに効果よく逃がすことができる。
【００３０】
また、本実施形態のスーパーキャパシタモジュールに設けられる水冷ジャケットによれば、複数のスーパーキャパシタを収容するための収容部を有することによって、スーパーキャパシタモジュールの組立性を向上させることができる。
【００３１】
また、本実施形態のスーパーキャパシタモジュールによれば、スーパーキャパシタの上部や下部に放熱基板をさらに設け、スーパーキャパシタモジュールの上部や下部の熱を効果よく逃がすことができる。
【図面の簡単な説明】
【００３２】
【図１】本発明の実施形態によるスーパーキャパシタモジュールの概略斜視図である。
【図２】本発明の実施形態によるスーパーキャパシタに設けられる第１の形態の水冷ジャケットの斜視図である。
【図３】図２中のＩ−Ｉ’線に沿う断面図である。
【図４】本発明の実施形態によるスーパーキャパシタに設けられる第２の形態の水冷ジャケットの斜視図である。
【図５】本発明の実施形態によるスーパーキャパシタに設けられる第３の形態の水冷ジャケットの斜視図である。
【発明を実施するための形態】
【００３３】
以下、本発明の好適な実施の形態は図面を参考にして詳細に説明する。次に示される各実施の形態は当業者にとって本発明の思想が十分に伝達されることができるようにするために例として挙げられるものである。従って、本発明は以下示している各実施の形態に限定されることなく他の形態で具体化されることができる。そして、図面において、装置の大きさ及び厚さなどは便宜上誇張して表現されることができる。明細書全体に渡って同一の参照符号は同一の構成要素を示している。
【００３４】
図１は、本発明の実施形態によるスーパーキャパシタモジュールの概略斜視図である。
【００３５】
図１を参照して、本発明の実施形態によるスーパーキャパシタモジュール１００は、複数の収容部１２０を備える水冷ジャケット１１０と、各収容部１２Oに収容されるスーパーキャパシタ１３０とを含むことができる。
【００３６】
水冷ジャケット１１０は、本体内部に冷却水の流れのための水路部を備え、該冷却水の流れを通じて放熱することができる。該水冷ジャケット１１０は、優秀な熱伝導率の材料、例えばアルミニウム及び銅等の金属素材から成ることができる。しかし、本発明の実施形態では水冷ジャケットの材料に対して限定するのではない。
【００３７】
スーパーキャパシタ１３０は、水冷ジャケット１１０に設けられる収容部１２０に挿入されており、該スーパーキャパシタ１３０の底面だけでなく側面は、水冷ジャケット１１０と接触されることができる。これにより、スーパーキャパシタ１３０の底面及び側面から発生される熱は効果よく放熱することができる。また、スーパーキャパシタ１３０は水冷ジャケット１１０の収容部１２０に挿入組立てられることによって、スーパーキャパシタモジュール１００の組立性を向上することができる。
【００３８】
また、収容部１２０の形態は、スーパーキャパシタ１３０に対応する形態で形成されることができる。例えば、スーパーキャパシタ１３０が円柱状で形成される場合、収容部１２０は円柱状の溝または円柱状のホールを有することができる。該溝は、水冷ジャケット１１０をなす本体の内部に陥没された形態を意味し、該ホールは水冷ジャケット１１０をなす本体を貫通する開口を意味する。これにより、スーパーキャパシタ１３０は収容部１２０の内部に一致するように挿入され、スーパーキャパシタ１３０と水冷ジャケット１１０との密着力を確保することができるため、スーパーキャパシタ１３０の放熱効果を増大させることができる。
【００３９】
水冷ジャケット１１０は、複数のスーパーキャパシタ１３０の各々の間に設けられ、スーパーキャパシタ１３０の側面から発生する熱を効果よく放熱させ、該放熱に伴って信頼性及び安定性を確保すると共に、スーパーキャパシタモジュール１００に設けられるスーパーキャパシタ１３０の個数やスーパーキャパシタモジュール１００の作業環境に対する制約も解消されることができる。
【００４０】
スーパーキャパシタモジュールは、冷却水を外部から供給されて水冷ジャケット１１０に供給する流入部１４０と、水冷ジャケット１１０から排出される冷却水を外部に放出する流出部１５０とをさらに含むことができる。
【００４１】
流入部１４０は、水冷ジャケット１１０の内側に設けられ、水路と連結されることができる。また、示されていないが、流入部１４０に冷却水を供給するためのポンプに連結され、水冷ジャケット１１０に投入される冷却水の速度及び冷却水の量を効果よく制御することができる。
【００４２】
流入部１４０及び流出部１５０は、スーパーキャパシタモジュール１００の下部に配設されるが、これに限定されるのではない。例えば、流入部１４０は水冷ジャケットへの冷却水の流入を容易に行うためにスーパーキャパシタモジュール１００の上部に配設され、流出部は、水冷ジャケット１１０から冷却水の流出を容易に行うためにスーパーキャパシタモジュール１００の下部に配設されることができる。
【００４３】
また、スーパーキャパシタモジュール１００は、示されていないが、複数のスーパーキャパシタ１３０の上面及び下面うちの少なくともいずれか一つに放熱プレートをさらに設けることができる。該放熱プレートは、内部に冷却媒体の流れのための冷却流路を備えることができる。これにより、スーパーキャパシタモジュール１００の上面及び下面のうちの少なくとも一面から発生する熱を逃がし、スーパーキャパシタモジュール１００の放熱効果をさらに増大させることができる。
【００４４】
以下、本発明のスーパーキャパシタに設けられる水冷ジャケット対してより具体的に説明することにする。
【００４５】
図２は、本発明の実施形態によるスーパーキャパシタに設けられる第１の形態の水冷ジャケットの斜視図である。
【００４６】
図３は、図２中のＩ−Ｉ’線に沿う断面図である。
【００４７】
図２及び図３を参照して、本発明の実施形態によるスーパーキャパシタに設けられる第１の形態の水冷ジャケット１１０は水冷連結部１６０と、水冷連結部１６０から上部へ突出する複数の水冷ブロック１１１とを含むことができる。
【００４８】
水冷ジャケット１１０は、スーパーキャパシタ１３０の収容のための収容部１２０を備えることができる。該収容部１２０は、スーパーキャパシタ１３０の四方に配設される水冷ブロック１１１の結合によって形成されることができる。例えば、水冷ブロック１１１は、スーパーキャパシタ１３０の四方に配設される第１〜第４の水冷ブロック１１１ａ、１１１ｂ、１１１ｃ、１１１ｄを含むことができる。該スーパーキャパシタ１３０の形態が円柱状の場合、第１〜第４の水冷ブロック１１１ａ、１１１ｂ、１１１ｃ、１１１ｄの各側壁１１２は扇子形態に陥没される。第１〜第４の水冷ブロック１１１ａ、１１１ｂ、１１１ｃ、１１１ｄの各側壁１１２が結合され、円柱状の収容部１２０を形成することができる。各水冷ブロック１１１の内部に冷却水の流れのための水路１１３を備えることができる。これにより、水冷ブロック１１１の水路１１３を通じて冷却水は、垂直の上下方向に循環することができる。すなわち、スーパーキャパシタ１３０間に介在する水冷ブロック１１１の内部で冷却水が上下に往復して流れることによって、スーパーキャパシタ１３０各々の側面から発生する熱を効果よく逃がすことができる。
【００４９】
水冷連結部１６０は、基板の形態で構成されることができる。該水冷連結部１６０は、複数の水冷ブロック１１１の下部に配設されて複数の水冷ブロック１１１を支持する役割をする。また、水冷連結部１６０は水冷ブロック１１１だけでなく水冷ジャケット１１０に収容された各スーパーキャパシタ１３０の下部に連結され、複数のスーパーキャパシタ１３０を支持すると共にその下部から発生する熱を逃がすことができる。
【００５０】
また、水冷連結部１６０は、内部に冷却水の流れのための連結水路を備えることができる。該連結水路は、冷却水の流入のための流入部１４０と冷却水の流出のための流出部１５０と連結されている。これにより、流入部１４０から流入する冷却水は、水冷連結部１６０の連結水路を通じて各水冷ブロック１１１に供給されることができる。また、各水冷ブロック１１１から排出される冷却水は、水冷連結部１６０の連結水路を経由して流出部１５０を通じて外部に放出されることができる。
【００５１】
また、示されていないが、複数のスーパーキャパシタ１３０の上面を覆う放熱プレートをさらに含むことができる。該放熱プレートは、内部に冷却媒体の循環のための冷却流路を備えることができる。該冷却媒体は、冷却水、高揮発性の溶媒、例えばアセトン及びアルコール等の液体またはフレオンガスのような機体であってもよい。これにより、スーパーキャパシタモジュール１００は、各スーパーキャパシタ１３０の側面及び下面だけでなくスーパーキャパシタ１３０の上面から発生する熱を逃がして、スーパーキャパシタモジュール１００の放熱効果をさらに向上させることができる。
【００５２】
図４は、本発明の実施形態によるスーパーキャパシタに設けられる第２の形態の水冷ジャケットの斜視図である。
【００５３】
図４を参照して、本発明の実施形態によるスーパーキャパシタに設けられる第２の形態の水冷ジャケット２１０は、上部に突出される水冷ブロック２１１と、該水冷ブロック２１１に冷却水を供給する流入部２４０と、該水冷ブロック２１１から冷却水を流出する流出部２５０とを含むことができる。流入部２４０及び流出部２５０は水冷ブロック２１１の下部に配設されているが、これに限定されるのではない。例えば、流入部２４０は水冷ブロック２１１に冷却水の流入を容易に行うために水冷ブロック２１１の上部に配設されてもよい。また、流出部２５０は冷却水の流出を容易に行うために水冷ブロック２１１の下部に配設されてもよい。
【００５４】
水冷ブロック２１１は、スーパーキャパシタ（図１の１３０）を収容するための収容部２２０を備えることができる。該収容部２２０は、スーパーキャパシタ１３０を挿入可能な溝またはホールを備えることができる。該収容部２２０の形態は、スーパーキャパシタ１３０に対応する形態を有してもよい。これにより、スーパーキャパシタ１３０は水冷ブロック２１１に密着して収容され、スーパーキャパシタ１３０の放熱効果をさらに向上させることができる。
【００５５】
収容部２２０が溝の形態で形成される場合、スーパーキャパシタ１３０の下部は、水冷ブロック２１１の下部と接触するようになり、スーパーキャパシタ１３０の下部から発生される熱は、容易に放熱されることができる。ここで、複数のスーパーキャパシタの上面を覆う放熱プレートをさらに備え、スーパーキャパシタの上部から発生される熱を逃がすことができる。
【００５６】
また、収容部２２０がホールの形態で形成される場合、スーパーキャパシタ１３０の上部及び下部に各々放熱プレートをさらに備え、スーパーキャパシタ１３０の全面から発生する熱を効果よく逃がすことができる。
【００５７】
水冷ブロック２１１は、内部に冷却水の流れのための水路２１３を備えることができる。該水路２１３は、水冷ブロック２１１の外皮及び内皮により画定される。これにより、水冷ブロック２１１の水路２１３は一体になり、水冷ブロック２１１の水路を通じて、冷却水は垂直及び水平の方向に流れることができる。これにより、冷却水は、スーパーキャパシタ１３０の上下及び左右方向へ移動して、スーパーキャパシタから発する熱を逃がすことができ、スーパーキャパシタモジュール（図１の１００）の放熱効果をさらに増大させることができる。
【００５８】
図５は、本発明の実施形態によるスーパーキャパシタに設けられる第３の形態の水冷ジャケットの斜視図である。
【００５９】
図５を参照して、本発明の実施形態によるスーパーキャパシタに設けられる第３の形態の水冷ジャケット３１０は、上部に突出される複数の水冷ブロック３１１と、該水冷ブロック３１１に冷却水を供給する流入部３４０と、該水冷ブロック３１１から冷却水を流出する流出部３５０とを含むことができる。
【００６０】
水冷ブロック３１１は、互いに結合して一列で配設される複数の収容部３２０を形成する第１及び第２の水冷ブロック３１１ａ、３１１ｂを含むことができる。スーパーキャパシタが円形の形態で構成される場合、第１の水冷ブロック３１１ａは半楕円形の第１の溝部３１５ａを有する第１の側壁３１４ａを備え、第２の水冷ブロック３１１ｂは第１の側壁３１４ａと左右対称構造を有する半楕円形の第２の溝部３１５ｂを有する第２の側壁３１４ｂを備えることができる。第１及び第２の側壁３１４ａ、３１４ｂが互いに向かい合うように第１及び第２の水冷ブロック３１１ａ、３１１ｂを結合する場合、スーパーキャパシタ１００の収容のための収容部３２０が形成されることができる。
【００６１】
第１及び第２の側壁３１４ａ、３１４ｂは各々、第１及び第２の溝部３１５ａ、３１５ｂを多数具備でき、第１及び第２の水冷ブロック３１１ａ、３１１ｂが結合される場合、複数の収容部３２０を形成することができる。すなわち、第１の水冷ブロック３１１ａは複数のスーパーキャパシタ１００のうち一列で配設されるスーパーキャパシタの一部を収容ことができる。また、第２の水冷ブロック３１１ｂは第１の水冷ブロック３１１ａと結合され一列で配設されるスーパーキャパシタ１００の残りを収容することができる。
【００６２】
第１及び第２の水冷ブロック３１１ａ、３１１ｂは、内部に各々冷却水の流れのための水路３１３を備えることができる。
【００６３】
第１及び第２の水冷ブロック３１１ａ、３１１ｂは、水冷連結部３６０により互いに連結されることができる。第１及び第２の水冷ブロック３１１ａ、３１１ｂに各々設けられる水路３１３は、水冷連結部により連結されることができる。また、水冷連結部３６０は、冷却水の流入のための流入部３４０と、第１及び第２の水冷ブロック３１１ａ、３１１ｂから流出される冷却水を流出する流出部３５０とに連結できる。
【００６４】
第１及び第２の水冷ブロック３１１ａ、３１１ｂは、水冷連結部３６０により連結され、冷却水は、垂直の上下方向だけでなく水平の左右方向に流れることができる。これにより、冷却水は、スーパーキャパシタ１００の上下及び左右方向へ移動し、スーパーキャパシタから発する熱を効率よく逃がすことができる。
【００６５】
したがって、本発明の実施形態のように、本発明のスーパーキャパシタモジュールは、水冷ジャケットの内部に複数のスーパーキャパシタを収容することによって、スーパーキャパシタの側面から発生する熱を効果よく逃がすことができる。
【００６６】
また、本発明のスーパーキャパシタモジュールに設けられる水冷ジャケットは、複数のスーパーキャパシタを収容するための収容部を有することによって、スーパーキャパシタモジュールの組立性を向上させることができる。
【００６７】
また、本発明のスーパーキャパシタモジュールは、スーパーキャパシタの上部や下部に放熱プレートをさらに備え、スーパーキャパシタモジュールの上部や下部の熱を効果よく逃がすことができる。
【００６８】
また、本発明のスーパーキャパシタモジュールに設けられる水冷ジャケットはスーパーキャパシタの垂直の上下方向だけでなく水平の左右方向に冷却水流れを有することができ、スーパーキャパシタの熱をさらに効果よく逃がすことができる。
【００６９】
今回開示された実施の形態はすべての点で例示であって制限的なものではないと考えられるべきである。本発明の範囲は、前記した実施の形態の説明ではなくて特許請求の範囲によって示され、特許請求の範囲と均等の意味及び範囲内でのすべての変更が含まれることが意図される。
【符号の説明】
【００７０】
１００  スーパーキャパシタモジュール
１１０、２１０、３１０  水冷ジャケット
１２０、２２０、３２０  収容部
１３０  スーパーキャパシタ
１１１、２１１、３１１  水冷ブロック
１４０、２４０、３４０  流入部
１５０、２５０、３５０  流出部
【図１】
2012049536.tif 000003
【図２】
2012049536.tif 000004
【図３】
2012049536.tif 000005
【図４】
2012049536.tif 000006
【図５】
2012049536.tif 000007